(57)【要約】【課題】炊飯器の斬新なデザインと、お手入れ性を良くして使い勝手のよい炊飯器を提供すること。【解決手段】鍋を収納する本体と鍋及び本体上面を覆う蓋体と、本体前面に設けた本体より突設した操作部を有し、前記本体及び操作部上面は前記蓋体の外周において蓋体の底平面より上方に突設しない構成とする。【選択図】　図１
2004041344.tif 000002
【特許請求の範囲】
【請求項１】
鍋を収納する本体と鍋及び本体上面を覆う蓋体と、本体前面に設けた本体より突設した操作部を有し、前記本体及び操作部上面は前記蓋体の外周において蓋体の底平面より上方に突設なく構成した炊飯器。
【請求項２】
鍋を収納する本体と、本体前面部に設けた本体より突出した操作部と、本体及び操作部上面を覆う蓋体とを有し、前記本体及び操作部上面の前記蓋体の合わせ面を前記蓋体の底平面に合致させてなる炊飯器。
【請求項３】
鍋を収納する本体と、鍋及び本体上面を覆う蓋体と、本体前面に前後方向の縦断面形状が略三角形状に突設した操作部を有してなる請求項１又は２記載の炊飯器。
【請求項４】
鍋を収納する本体と、鍋及び本体上面を覆う蓋体と、本体前面に設けた本体より突出した操作部を有し、前記操作部と蓋体前面は蓋体の底平面と交互する傾斜した連続面としてなる請求項１又は２記載の炊飯器。
【発明の詳細な説明】
【０００１】
【発明の属する技術分野】
本発明は、一般家庭、あるいは業務用に使用する電気炊飯器に関するものである。
【０００２】
【従来の技術】
近年の炊飯器においては、高品位のデザインで使い勝手が良く、お手入れ性の良いものが要求されるようになってきている。図６及び図７に示す従来の炊飯器について説明する。
【０００３】
図６及び図７において、５１は炊飯器本体で、５２は、保護枠５３を介して載置された上枠である。５４は、前記上枠に開閉自在係合された外蓋であり、閉時においてその先端立面５４ａを前記上枠５２の立壁５２ａに収納して、前記上枠５２と上枠と外蓋の合わせ面を構成する。５５は、前記外蓋５４の天面先端まで伸設した上枠５２の前方傾斜部５２ｂに配設した操作部である。５６は、基板を組み合わせた基板ベースである。５７は、保護枠５３内に着脱自在に配設した鍋である。５８は、鍋５７を誘導加熱するための加熱コイルである。５９は、炊飯器を制御するための制御基板である。つまり前記操作部５５は、上枠と外蓋の合わせ面から下方にまたがり配設され、操作面積を確保して、操作性を高めていた。
【０００４】
【発明が解決しようとする課題】
しかしながら、従来の炊飯器では、上枠５２の立壁５２ａと鍋５７のフランジ５７ａとの隙間が少ないため、上枠５２に配設されているつゆ溜め部６０をふきん等で拭こうとしても、指が入りにくいため、拭きにくい構成であった。また、上枠５２のつゆ溜め部６０につゆが溜まっていき、汚れやすい等といった衛生的な問題あった。
【０００５】
また鍋５７の前部に、前記上枠５２の立壁５２ａがあり、鍋５７内のご飯をしゃもじでよそぎにくく、使い勝手も悪いという問題があった。
【０００６】
本発明は、上記従来の問題点を解決するもので、すっきりした斬新なデザインとお手入れ性の良い炊飯器を提供することを目的としている。
【０００７】
【課題を解決するための手段】
上記課題を解決するために本発明は、鍋を収納する本体と鍋及び本体上面を覆う蓋体と、本体前面に設けた本体より突設した操作部を有し、前記本体及び操作部上面は蓋体の底平面より上方に突設なく構成したものである。
【０００８】
【発明の実施の形態】
請求項１記載の発明は、鍋を収納する本体と鍋及び本体上面を覆う蓋体と、本体前面に設けた本体より突設した操作部を有し、前記本体及び操作部上面は前記蓋体の外周において蓋体の底平面より上方に突設なく構成した炊飯器にすることにより、操作部と鍋との隙間が確保できるため、本体に溜まった水や、鍋から落ちたご飯粒を簡単にふきん等で清掃できる。また、鍋内のご飯をしゃもじでよそいやすいという使い勝手も向上することができる。
【０００９】
また、本体に水が溜まるような構成になっていないため、本体内に汚れがこびりついたりすることもなく、衛生的であるのと、水が溜まることがないことから、本体内に水が浸入することがなく、火災などの事故を未然に防ぐことができ、安全性を確保した炊飯器といえる。また、操作部をこのように、大きいため、お客様が操作しやすく、また、操作しやすい角度にすることができるので、炊飯器の操作性も向上している。
【００１０】
請求項２記載の発明は、鍋を収納する本体と、本体前面部に設けた本体より突出した操作部と、本体及び操作部上面を覆う蓋体とを有し、前記本体及び操作部上面の前記蓋体の合わせ面を前記蓋体の底平面に合致させたことにより、蓋体と本体の合わせ面を合致させているため、蓋体と本体の隙間を均一にした炊飯器にすることができる利点があり、外観品位向上することができる。
【００１１】
請求項３記載の発明は、鍋を収納する本体と、鍋及び本体上面を覆う蓋体と、本体前面に前後方向の縦断面形状が略三角形状に突設した操作部を有することにより、炊飯器本体のコンパクト化をはかることができ、小さい炊飯器にすることができ、デザイン性も向上することができる。
【００１２】
請求項４記載の発明は、鍋を収納する本体と、鍋及び本体上面を覆う蓋体と、本体前面に設けた本体より突出した操作部を有し、前記操作部と蓋体前面は蓋体の底平面と交互する傾斜した連続面とするこにより、操作部は適度な傾斜を持って構成され、操作性の優れた炊飯器が可能となる。
【００１３】
【実施例】
以下、本発明の第１の実施例について、図面を参照しながら説明する。
【００１４】
（実施例１）
図１及び図２に示すように、炊飯器本体１は上枠２、ボデイ３で構成されている。４は上枠２の内側に位置して加熱される鍋である。操作部５は炊飯器本体１前面の上枠２の上端から炊飯器本体１を包み込むように配設されている。６は鍋４を着脱自在に収納する保護枠である。７は操作部５の略中央に配設した表示部である。８は前記上枠２の後方部のヒンジ部に開閉自在に係合された蓋体であり、前記蓋体８の底平面８ａは前記上枠２の上端面２ａにセットされる。つまり、前記上枠２の上端面２ａと前記蓋体８の底平面８ａで上枠と蓋体の合わせ面を構成する。９は蓋体８に着脱自在に配設した加熱板である。１０は蓋体８を炊飯器本体に閉状態にするフックレバーである。１１は保護枠６の下部に配設した誘導加熱コイルである。１２は操作部５の裏面に配設した操作基板１２ａを有する基板ベースユニットである。１３は炊飯器全体を制御する制御基板ユニットで、前記上枠２の前方に配設されている。１４は保護枠６の底部中央に配設され、内鍋４の温度を検知する底センサである。前記上枠２とボデイ３は保護枠６を介して連結され、炊飯器本体１を構成している。つまり、操作部５は前記蓋体８の外周において、蓋体８の底平面８ａより上方に突出しない上枠２の上端面２ａから炊飯器本体１の前方下に傾斜して伸設している。
【００１５】
以上のように構成された炊飯器についてその動作を説明すると、炊飯器本体１内の保護枠６に配設した内鍋４に米と水を入れ、蓋体８はフックレバー１０に係合し、蓋体８を閉状態にする。次に、上枠２の前方に配設したパネル５の傾斜部に配設された操作部７の操作スイッチ７ａにより炊飯をスタートさせる。内鍋４は誘導加熱コイル１１により加熱され、底センサ１４で温度を検知しながら炊飯を行う。これらの制御は上枠２の前方に配設した制御基板ユニット１３で行われる。
【００１６】
次に、炊飯又は保温終了時において上枠２の蓋体８のセット部である上端面２ａは露等により汚れるが、本発明によれば上枠２の蓋体８との合わせ面である上端面２ａは突出がなく、簡単に拭きとることとなる。
【００１７】
以上のような実施例によれば、上枠２の前方に表示部７を配設した操作部５を設けることにより、正面から炊飯器を操作のしやすく、高品位のデザインの炊飯器を提供することができる。また、操作部５の制御基板ユニット１２ａなどに異常が発生した場合、操作部５だけを炊飯器本体１よりとりだすだけで修理だできるサービス性のよい炊飯器を提供できるものである。また、操作スイッチ７ａが、操作部５前面頂点より低いところにあるので、例えば、ボデイ３下部を両手で持ち上げた際、操作部５が体に触れていても、操作スイッチ７ａは入らないのである。
【００１８】
また、操作部をこのように、大きく傾斜面を確保でき、お客様が操作しやすく、また、操作しやすい角度にすることができるので、炊飯器の操作性も向上している。なお、外蓋と上枠の合わせ面は、水平面状で説明したが、傾斜面又は湾曲面でも同様の効果を生ずることは言うまでもない。
【００１９】
（実施例２）
次に、本発明の第２の実施例について図３において説明する。炊飯器本体２１は、概略上半分の上枠２２と下半分のボデイ２３からなり、前記上枠２２の前面には、その上端部２２ａから下方に伸設して操作部２５を配設する。また、前記上枠２２の後部には蓋体２８を開閉自在に係合し、前記操作部２５上端部に配設したフックレバー１０で閉状態とされる。前記炊飯器本体２１には、前記上枠２２にフランジ４ａを載置して鍋４を収納する。前記蓋体２８には前記鍋４の開口を閉鎖する加熱板９を具備すると共に、前記鍋４のフランジ４ａと略均一な隙間を全周に設けて、その外周形状は鍋と相似形状としている。前記上枠２２の鍋４のフランジ４ａ載置部外周には蓋体２８の略外周形状とした蓋セット面２２ａを設け、前記蓋体２８の外周の下方は、前記操作部２５に伸設されている。
【００２０】
また、上記以外の構成については、実施例１と同じであり、説明を省略する。以上の構成によれば、上枠２２の合わせ面２２ａは最小限の範囲に限定することができ、上枠２２の上端面２２ａに付着した水滴などをふきん等で容易に拭き取ることができ、お手入れ性を向上させることができる。
【００２１】
また、その結果、経年使用しても、上枠２２が汚れにくく、さらに、上枠２２の上端面２２ａをフラット面で構成でき、上枠２２に金属性の上枠カバー３１などを配設して、よりお手入れ性を高めることが可能と、また、蓋体２８の役目である鍋４を覆いシールすることの機能の形状だけの蓋体２８にすることができるため、蓋体２８の構成を簡略化でき、蓋体２８の大きさを大きくせずにすめため、コンパクトな蓋体を構成することができるとともに、高品位なデザインの炊飯器を提供することができる。
【００２２】
（実施例３）
次に、本発明の第３の実施例を図４にて説明する。図４において、炊飯器本体３１の前後方向の縦断面にて、炊飯器本体３１の前部を三角形状３１ａに突設させ、上枠３２とボデイ３３とその傾斜辺３１ｂ側には操作部３４を設けて形成されている。また、上記以外の構成は実施例１と同じであり、説明を省略する。この構成により、操作部３３の面積を大きく構成することができるとともに、操作部を傾斜面に設けることができるので、操作性の向上をはかることができる。
【００２３】
（実施例４）
次に、本発明の第４の実施例を図５において説明する。図５において、炊飯器本体４１は、略上部を上枠４２、下部をボデイ４３で構成するとともに、前記炊飯器本体４１の前部に操作部４５を備える。また、前記上枠４２には蓋体４８を載置し、前記蓋体４８の前部に設けたフックレバー１０で、蓋体４８を前記炊飯器本体４１に閉状態とする。ここで、前記蓋体４８の前部上端４８ａから炊飯器本体４１の前記下端４１ａ間は、前記操作部４５を介して前記上枠４２と蓋体４８との合わせ面４２ａと交差する前方に傾斜した連続曲面４１ｂとしている。また、上記以外の構成については、実施例１と同じであり、説明を省略する。
【００２４】
以上の構成において、上枠４２と蓋体４８と操作部４５の外郭面を同一面にすることにより、蓋体４８の前面部のでっぱりがないため、すっきりしたデザインの炊飯器を提供することができる。
【００２５】
なお、本実施例では、操作部４５を構成する連続曲線４１ｂは２次元面又は平面であっても良く、操作上の適度な傾斜があれば良い。また、第１の実施例から第３の実施例では、フックレバーは上枠の前方に配設させて説明したが、図６に示す如く、フックレバーは蓋体に配設されても、同様の効果を得ることは言うまでもない。
【００２６】
【発明の効果】
以上のように、請求項１記載の発明によれば、操作部と鍋との隙間が確保できるため、本体に溜まった水や、鍋から落ちたご飯粒を簡単にふきん等で清掃できる。また、鍋内のご飯をしゃもじでよそいやすいという使い勝手も向上することができる。また、本体に水が溜まることなく、本体内に汚れがこびりついたりすることもなく、衛生的である。また、操作部をこのように、大きいため、お客様が操作しやすく、また、操作しやすい角度にすることができるので、炊飯器の操作性も向上している。
【００２７】
請求項２記載の発明によれば、蓋体と本体の合わせ面を合致させているため、蓋体と本体の隙間を均一にした炊飯器にすることができる利点があり、外観品位向上することができる。
【００２８】
請求項３記載の発明によれば、炊飯器本体のコンパクト化をはかることができ、小さい炊飯器にすることができ、デザイン性も向上することができる。
【００２９】
請求項４記載の発明によれば、操作部は適度な傾斜を持って構成され、操作性を備えることができる。
【図面の簡単な説明】
【図１】本発明の第１の実施例の炊飯器の前後方向の縦断面図
【図２】同炊飯器の前方要部の縦断面図
【図３】本発明の第２の実施例の炊飯器の斜視図
【図４】本発明の第３の実施例の炊飯器の側面図
【図５】本発明の第４の実施例の炊飯器の側面図
【図６】従来の炊飯器の前後方向の縦断面図
【図７】同炊飯器の前方要部の縦断面図
【符号の説明】
１　本体
４　鍋
５　操作部
８　蓋体
【図１】
2004041344.tif 000003
【図２】
2004041344.tif 000004
【図３】
2004041344.tif 000005
【図４】
2004041344.tif 000006
【図５】
2004041344.tif 000007
【図６】
2004041344.tif 000008
【図７】
2004041344.tif 000009